(57)【要約】      （修正有）【課題】小さな浴槽での入浴であっても保温効果を高め、業務用浴場並みの湯冷めのしにくい入浴を可能とすることができる入浴補助具を提供する。【解決手段】比較的血管が通っておらず且つ、体を支える胸椎の上部に当て物３をし、浴槽１と離間することで、肩及び背中の殆どを湯に晒すことで血流を良くして、保温効果を高める入浴補助具。【選択図】図１
2019202109.tif 000002
【特許請求の範囲】
【請求項１】
肩及び背中と浴槽を離間する胸椎上部の当て物と枕部を頸椎部を介して一体的に構成したことを特徴とする入浴補助具。
【請求項２】
肩及び背中と浴槽を離間する胸椎上部当て物と頸部離間部を介して枕部を一体的に形成したことを特徴とする入浴補助具。
【発明の詳細な説明】
【技術分野】
【０００１】  本発明は、入浴時において肩及び背中の大部分を浴槽から離間し、湯に直接晒されるようすることで体の血流を良くして、保温効果を高めるものに関するものである。
【背景技術】
【０００２】  業務用の入浴施設に比べ一般的な家庭用浴槽は小さく、巷間言われているように、風呂屋の湯に浸かると湯冷めしにくいが、家の風呂は湯冷めしやすいという問題があった。【０００３】  こういったことから、この改善策として各種の入浴剤などで補おうとしている例も見受けられるが、保温効果が無いとは言えないが、業務用の入浴施設に比べ、必ずしも満足するほどの保温機能を持っているとは言い難いのが現状である。【０００４】  その他、浴槽下部から湯を噴流させるようにして身体を浮遊させて入浴させる方法もあるが、こういった大規模なものは一般家庭では導入し難い。【０００５】  また、浴槽に枕を取り付けゆったりとして入浴できるようにすることで、長時間の入浴を可能とするものもあるが、この場合、体が温まった状態になるものの、背中は外気と通じた体温以下の浴槽と接したままであるので、血流をよくして体全体の保温効果を高めるとまでは言い難い。【０００６】  更には実用新案登録第３０５５５４７号公報に見られるように、頭部を支持する主枕部に肩を乗せる補助枕部を取り付けた浴槽用枕もあるが、肩や背中上部を覆っており、血流をよくして体全体の保温効果を高めることには繋がらない。【０００７】    また実開昭５３−１１５６８５号公報や、特開２００６−２２３８０６号公報には、背中を温めるため、浴槽と離間して入浴することが示されているが、背中の多くの部位、特に血流効果に影響する筋肉部の大部分も浴槽と離間するための外気温に繋がる部材と接触しており、かつ浴槽が一層狭くなるような大掛かりなものとなっている。【０００８】  その他、特開平９−５６６２１号公報では背中を温めるとなっているが、温め効果の高い筋肉部が殆ど浴槽と密着していたり、特開２００６−２７１９３６号公報では肩がお湯の水位から出ていたり、前述の他の文献を含め、肩や背中をどう温めるかと云った視点の文献は見られない。
【先行技術文献】
【特許文献】
【０００９】
【特許文献１】特開２００１−２１２１９６号公報
【特許文献２】実用新案登録第３０５５５４７号公報
【特許文献３】実開昭５３−１１５６８５号公報
【特許文献４】特開平９−５６６２１号公報
【特許文献５】特開２００６−２２３８０６号公報
【発明の概要】
【発明が解決しようとする課題】
【００１０】  解決しようとする問題点は、小さな浴槽であっても簡易的な入浴補助具を用いるだけで、身体の保温効果を高め、湯冷めのしにくい入浴を求めるものである。
【課題を解決するための手段】
【００１１】  身体には温め効果の高いポイントがいくつかあり、その代表的な部位が僧帽筋や広背筋など数多くの筋肉の存在する肩や背中である。これらの筋は肩と背中全体を覆っていて体の保温の役目を果たしている筋肉であると同時に多くの血管を有することから体の末端までの血流促進にも影響を与える。【００１２】  このことは、肩や背中をしっかり温めることで、効率よく全身に血液をめぐらせることができるので、手足の先といった体の端部の冷えを感じやすい人も、ここを温めることで手足の先まで温かい血液をめぐらせ、冷えの解消に役立つと共に、全身の保温性を高めて湯冷めのし難い状態を得る事が出来る。【００１３】  本発明は、上述のことに着目し、湯冷めの遅い早いは浴槽の大小そのものではなく、従来の入浴方法にあって、浴槽が比較的小さい場合に、浴槽内の湯よりも温度の低い外気と直接接する浴槽と肩や背中が貼りつくよう接して入浴しているその入浴方法を改めるため、肩と背中全体の内、血流に大きな影響を与えない部位の一部のみを支えて、身体を浴槽と離間させ入浴出来るようにした。【００１４】  その手段として、肩及び背中全体から見れば、血管が比較的少なく且つ、保温に影響の少ない上、体を支える胸椎部に着目し、その胸椎の首側上部に当て物をして、肩及び背中全体と浴槽を離間するようにする。【００１５】  或いはまた、背中上部を覆うがその殆どを開孔として、お湯と接する面積を多くとるようにして、肩及び背中全体と浴槽を離間するようにした。
【発明の効果】
【００１６】  本発明によれば比較的血管が少なく、かつ、体を支える機能を有する胸椎部分を支持するようにする。或いは、極力肩や背中と接触する面積を減らした状態にして支持するようにしたので、多数の血管を保有する肩や背中の殆どを直接お湯と接する事が出来、体全体の血流を促進すると共に保温効果を高める事が出来る。
【図面の簡単な説明】
【００１７】
【図１】図１は本発明の入浴補助具を用いて入浴している状況を示す側面図。
【図２】図２は本発明の第１実施例を示す立体図。
【図３】図３は本発明の第２実施例を示す立体図。
【図４】図４は本発明の第３実施例を示す側面図。
【発明を実施するための形態】
【００１８】  肩及び背中の大部分をお湯に直接触れるようにするため、首側上部の胸椎部分に当て物をして、肩や背中と浴槽を離間するか、もしくは肩から背中上部に掛けて当て物をするが、その大部分は開孔とした状態で肩や背中と浴槽を離間するようにした。
【実施例１】
【００１９】    本実施例は、肩及び背中と浴槽を離間する胸椎上部の当て物と枕部を、頸椎部を介して一体的に構成した入浴補助具であり、図１と図２を用いて説明すると、本入浴補助具は、お湯の水位９より下に肩が来るように入浴した入浴者の肩や背中の大部分と浴槽１を胸椎上部当て物３により離間させるもので、胸椎上部当て物３は肩や背中全体を温めて血流を良くする観点から、極力幅Ｗが狭いことが望ましい。あまり狭いと入浴姿勢が不安定になったり、支えられる体の部位に違和感が生じたりするので、胸椎の幅程度はあった方がよい。【００２０】    他方で、胸椎上部当て物３の幅Ｗは広い方が安定的に入浴出来るが、あまり広いと保温効果に影響を与えるので、肩甲骨と肩甲骨の幅程度までくらいが望ましい。厚みとしては浴槽１の背もたれ４の傾斜角度に左右されるが、垂直から１０度程度であれば、２ｃｍ程度もあれば十分肩や背中と浴槽を離間する事が出来る。なお、枕部２の幅や厚みは本発明で云う所の保温効果に影響を与えないので、既に市販されている入浴用枕に準じればよい。【００２１】  胸椎上部当て物３の長さは少なくとも胸椎１番付近は支える必要があり、安定的には胸椎１番から５番程度まであればよいが、胸椎の上部は左程の血管が通っているものでもないことから、格別に長さを気にすることはないが、徒に長くすることもない。また、頸部は枕部２と当て物３が共に柔軟であれば頸部に加圧による負担がないので支えるようにしてもよいが、支えなくとも特段の支障はなく、頸部を離間した上で枕部２と胸椎上部当て物３を結合するよう構成してもよい。【００２２】  上述の通り、胸椎上部当て物３の形状としては幅を狭くすることが望まれることから、狭くしたことによって、過度の鋭利的な圧力が身体に掛からないように、加圧力が分散されるよう胸椎上部当て物３には弾性を持たせることが望ましい。このことから、ポリプロピレン樹脂や飽和ポリエステル樹脂と云ったプラスチック素材を用いて中空構造としたり、袋状のポリ塩化ビニルなどの軟質プラスチック素材にゴム状のシリコン樹脂を充てんしたものなどとした構造とする。
【実施例２】
【００２３】  図３の実施例は、本発明に基づき更にゆったりと入浴出来るようにするため、頭から背中上部までを支えるようにしたものである。全体はプラスチック素材が用いられており、頭を支える枕部２１と胸椎部上部に加え、背中上部を支える当て物３１を一体的に形成する。本当て物３１の特徴としては、大きな開孔部５・６を有しており、この開孔部５．６で背中上部の殆どが浴槽内のお湯に晒されるようにする。重要なことは湯温より低い浴槽、或いは入浴補助具自体と身体が接する面積をいかに小さくして、安定的に体を支持してやるかである。【００２４】  なお、当て物３１には足７・８が取り付けられ、当て物３１に荷重がかかった時に弾性力を発揮すると共に、浴槽と身体を離間させお湯を通わせる空間を形成する。
【実施例３】
【００２５】  この他、日本の住宅事情から多くの家庭の風呂は、浴槽１と浴室壁１０が比較的近接されたものが見られ、そのような場合にあっても入浴がゆったりできるよう、肩及び背中と浴槽を離間する胸椎上部当て物と頸部離間部を介して枕部を一体的に形成して、頸部に荷重が加わるのを防止し、同頸部にある筋肉や神経に負担が掛かっての筋肉疲労や、首や肩の凝りを防ぐため、肩及び背中と浴槽を離間する胸椎上部の当て物と枕部の間に、荷重的な離間部を構成した入浴補助具を提供する。【００２６】  図４により説明すると、入浴補助具５１は一体的に形成され、上方の枕部５２で頭部５４を支え、下方の胸椎上部当て物５５で肩及び背中５６の荷重を受けるようになっており、入浴補助具５１の素材が例えば木製のようなものを想定すると、剛性をもっていることで浴槽の縁５３でシーソーのような状態となり、頭部からの荷重と肩及び背中からの荷重が互いに影響しあい、枕部５２に加わったその荷重が胸椎上部当て物５５にも加わり、入浴補助具にＲ部５７を施していても、背中に局所的な荷重が加わり不快感が生じる。
一方で、入浴補助具５１に可撓性があり過ぎると、入浴補助具５１自体が折れ曲がり頸部を圧迫することとなり頸部に不快感が生じる。【００２７】  そこで、本入浴補助具５１の材質として、比較的弾力性があり且つ、体を預けても一定の形状を維持しうる材質をもったエチレン・酢酸共重合（ＥＶＡ）樹脂やポリウレタン樹脂、或いはニトリルゴムといったようなものの発泡体が採用され、頭や背中と直接接する表層部には荷重を分散させる観点から、芯となる部分よりも発泡倍率を高めたより柔軟な素材を貼りつけてもよい。【００２８】  このようにすることで、一定の形状を維持した上での可撓性を持つので、頭部５４を浴槽側へ預けると、背中５６側はお湯の浮力もあって浮き上がり、そのときに頸部と当て物が接することのないような発泡倍率を選定しておくことで、入浴補助具５１を一点鎖線６１に示したように変形させ、頸部湾状部５８と接せすることのない頸部離間部５９が形成出来るようにする。因みに、入浴補助具５１の厚みを３０ｍｍくらいとしたとき、現在市販されているＥＶＡ樹脂などで出来たビーチサンダル程度の発泡倍率であれば、この頸部離間部を形成させることが出来る。あるいはまた、予め入浴補助具５１自体に破線６２で示したような頸部離間部６０を加工しておいてもよい。何れか、または両方同時に採用してもよく、それらは意匠性などの設計上の選択となるが、この頸部離間部の意味は、頸部に不快な押圧が掛からないためのものであり、仮に入浴補助具５１が頸部に接したとしても押圧に繋がらなければ実質的に頸部離間部と看做される。
【産業上の利用可能性】
【００２９】  家庭の一般的な浴槽で業務用浴槽と同じような保温効果のある入浴を可能とすることで、健康産業に貢献できる。
【符号の説明】
【００３０】  ２    枕部
３    胸椎上部当て物
２１  枕部
３１  胸椎上部と背中上部当て物
５２  枕部
５９・６０  頸部離間部
５５  胸椎上部当て物
【図１】
2019202109.tif 000003
【図２】
2019202109.tif 000004
【図３】
2019202109.tif 000005
【図４】
2019202109.tif 000006